(57)【要約】【目的】  通信機能付携帯端末装置およびデータ自動配信システムに関し、ユーザ宛に届いた電子メールやデータファイルなどの内容を即時に確認して迅速な情報交換を図れるようにする。【構成】  新たに着信したファイル（または電子メール）が存在することを通知する新着メッセージをメッセージ受信部１０５が受信すると、制御部１０１は当該新着メッセージを解析して当該ファイル（または電子メール）を特定する識別情報とホストコンピュータの電話番号を得る。そして、携帯電話送受信部１０７を介してホストコンピュータとの間の回線接続を行った後、当該ファイル（または電子メール）の取り寄せ要求コマンドを送信して、ホストコンピュータから当該ファイル（または電子メール）を自動的に取得するとともに表示部１０２を用いてユーザに提示する。【選択図】図２
2011060295.tif 000002
【特許請求の範囲】
【請求項１】
新たなデータの着信を示す新着メッセージを受信したとき、前記新着メッセージの内容に基づいて自動的に前記データの取得処理を制御する着信データ取得制御手段を具備する構成としたことを特徴とする通信機能付携帯端末装置。
【請求項２】
前記新着メッセージには、前記データを特定するデータ識別情報が含まれており、
前記着信データ取得制御手段を、受信した前記新着メッセージを解析して前記データ識別情報を抽出する新着メッセージ解析処理部と、前記データ識別情報に基づいて前記データの伝送処理を制御する着信データ伝送制御部と、によって構成したことを特徴とする請求項１記載の通信機能付携帯端末装置。
【請求項３】
前記新着メッセージには、前記データを特定するデータ識別情報と、前記データにアクセスするための回線情報と、が含まれており、前記着信データ取得制御手段を、受信した前記新着メッセージを解析して前記データ識別情報および前記回線情報を抽出する新着メッセージ解析処理部と、前記回線情報に基づいて通信回線の接続処理を行う回線確立処理部と、前記データ識別情報に基づいて前記データの伝送処理を制御する着信データ伝送制御部と、によって構成したことを特徴とする請求項１記載の通信機能付携帯端末装置。
【請求項４】
所定のリトライ回数あるいは通信回線が確立されるまで、前記回線確立処理部による通信回線の接続処理が繰り返し行われるように制御するリトライ制御部を具備する構成としたことを特徴とする請求項３記載の通信機能付携帯端末装置。
【請求項５】
前記データの取得処理を行うか否かを指定させるユーザ確認処理部を具備し、
前記着信データ取得制御手段は、前記ユーザ確認処理部における指定に応じて前記データの取得処理を制御することを特徴とする請求項１〜４のいずれか一項記載の通信機能付携帯端末装置。
【請求項６】
前記新着メッセージには、前記データの大きさを示すデータサイズ情報が含まれており、
前記着信データ取得制御手段は、装置本体内のデータ記憶領域の空き容量および前記データサイズ情報に基づいて前記データの取得処理を制御することを特徴とする請求項１〜５のいずれか一項記載の通信機能付携帯端末装置。
【請求項７】
前記回線確立処理部は、携帯電話を用いて通信回線の接続処理を行うことを特徴とする請求項３〜６のいずれか一項記載の通信機能付携帯端末装置。
【請求項８】
新たに着信したデータを特定するデータ識別情報および前記データにアクセスするための回線情報を含む新着メッセージの発信制御を行う新着メッセージ発信制御部と、伝送要求メッセージの受信処理および前記伝送要求メッセージによって特定されるデータの送信処理を制御するホスト側着信データ伝送制御部と、を有するホストコンピュータと、
受信した前記新着メッセージを解析して前記データ識別情報および前記回線情報を抽出する新着メッセージ解析処理部と、前記回線情報に基づいて前記ホストコンピュータに対する通信回線の接続処理を行う回線確立処理部と、前記データ識別情報に基づく前記伝送要求メッセージの送信処理および前記ホストコンピュータから伝送されるデータの受信処理を制御する端末側着信データ伝送制御部と、を有する一以上の通信機能付携帯端末装置と、を具備する構成としたことを特徴とするデータ自動配信システム。
【請求項９】
前記ホスト側着信データ伝送制御部は、複数の通信機能付携帯端末装置に対して同一のデータの送信処理を同時に行うことを特徴とする請求項８記載のデータ自動配信システム。
【請求項１０】
所定のリトライ回数あるいは通信回線が確立されるまで、前記回線確立処理部による通信回線の接続処理が繰り返し行われるように制御するリトライ制御部を具備する構成としたことを特徴とする請求項８または９記載のデータ自動配信システム。
【請求項１１】
前記回線確立処理部は、無線または有線の電話回線を用いて通信回線の接続処理を行うことを特徴とする請求項８〜１０のいずれか一項記載のデータ自動配信システム。
【発明の詳細な説明】
【技術分野】
【０００１】
本発明は、通信機能付携帯端末装置およびデータ自動配信システムに係り、特に、ＢＢＳ（ Bulletin Board System）を用いた迅速な情報交換に好適な通信機能付携帯端末装置およびデータ自動配信システムに関する。
【背景技術】
【０００２】
近年、機器が比較的小型で安価なことから、無線呼出サービスにおけるメッセージ受信装置（ページャ）が急速に普及しつつある一方、パソコン通信やインターネットなどにおけるＢＢＳ（ Bulletin Board System）を介した電子メールやデータファイルなどの交換が盛んになっている。そして、このような状況のもとで、加入しているＢＢＳにユーザ宛の電子メールが届いたとき、当該ユーザが所持しているページャに対して当該電子メールの着信を自動的に通知することにより、迅速な情報交換を促進しようとするサービスが提供されている（ニフティおよびＮＴＴドコモによる“電子メール着信通知サービス”）。
【発明の概要】
【発明が解決しようとする課題】
【０００３】
上述した“電子メール着信通知サービス”は、ページャを所持するユーザに対して当該ユーザ宛の電子メールが届いた事実を知らせるだけなので、当該ユーザは電子メールの着信を知ることはできるが、当該電子メールの内容を知ることはできない。すなわち、ページャによって電子メールの着信をいち早く知ったとしても、オフィスや家庭に設置されているパーソナルコンピュータなどを用いてＢＢＳのホスト局に接続し、当該電子メールの内容を読み出す機会が得られるまで当該電子メールの内容を知ることはできず、電子メールの着信を知ったときの状況によっては、必ずしも迅速な情報交換を図ることができるとは限らないという問題点があった。
【０００４】
したがって本発明の目的は、上記の問題点を解決して、ユーザ宛に電子メールやデータファイルなどが届いたとき、その内容を即時に確認して迅速な情報交換を図ることができる通信機能付携帯端末装置およびデータ自動配信システムを提供することにある。
【課題を解決するための手段】
【０００５】
(1) 上記の目的を達成するため、本発明の通信機能付携帯端末装置は、新たなデータの着信を示す新着メッセージを受信したとき、前記新着メッセージの内容に基づいて自動的に前記データの取得処理を制御する着信データ取得制御手段（例えば、図１１に示す着信データ取得処理５００）を具備する構成としたものである。
【０００６】
(2) また、(1)において、前記新着メッセージには、前記データを特定するデータ識別情報（例えば、図４に示すファイルＩＤ２１１）が含まれており、前記着信データ取得制御手段を、受信した前記新着メッセージを解析して前記データ識別情報を抽出する新着メッセージ解析処理部（例えば、着信データ取得処理５００におけるステップ５０１のコマンド解析）と、前記データ識別情報に基づいて前記データの伝送処理を制御する着信データ伝送制御部（例えば、着信データ取得処理５００におけるステップ５１０のファイル取り寄せ処理）と、によって構成したものである。
【０００７】
(3) また、(1)において、前記新着メッセージには、前記データを特定するデータ識別情報と、前記データにアクセスするための回線情報（例えば、図４に示す電話番号２１２）と、が含まれており、前記着信データ取得制御手段を、受信した前記新着メッセージを解析して前記データ識別情報および前記回線情報を抽出する新着メッセージ解析処理部と、前記回線情報に基づいて通信回線の接続処理を行う回線確立処理部（例えば、図１２に示す回線接続５１１）と、前記データ識別情報に基づいて前記データの伝送処理を制御する着信データ伝送制御部と、によって構成したものである。
【０００８】
(4) また、(3)において、所定のリトライ回数あるいは通信回線が確立されるまで、前記回線確立処理部による通信回線の接続処理が繰り返し行われるように制御するリトライ制御部を具備する構成としたものである。
【０００９】
(5) また、(1)〜(4) のいずれかにおいて、前記データの取得処理を行うか否かを指定させるユーザ確認処理部（例えば、図１２に示すユーザ確認５１５）を具備し、前記着信データ取得制御手段は、前記ユーザ確認処理部における指定に応じて前記データの取得処理を制御するものである。
【００１０】
(6) また、(1)〜(5) のいずれかにおいて、前記新着メッセージには、前記データの大きさを示すデータサイズ情報（例えば、図１５に示すファイルサイズ２１３）が含まれており、前記着信データ取得制御手段は、装置本体内のデータ記憶領域の空き容量および前記データサイズ情報に基づいて前記データの取得処理を制御するものである。
【００１１】
(7) また、(3)〜(6) のいずれかにおいて、前記回線確立処理部は、携帯電話を用いて通信回線の接続処理を行うものである。
【００１２】
(8) また、本発明のデータ自動配信システムは、新たに着信したデータを特定するデータ識別情報および前記データにアクセスするための回線情報を含む新着メッセージの発信制御を行う新着メッセージ発信制御部（例えば、図８に示すデータファイル新着メッセージ発信処理６５０）と、伝送要求メッセージの受信処理および前記伝送要求メッセージによって特定されるデータの送信処理を制御するホスト側着信データ伝送制御部（例えば、図１０に示すホストメイン処理６００）と、を有するホストコンピュータと、受信した前記新着メッセージを解析して前記データ識別情報および前記回線情報を抽出する新着メッセージ解析処理部と、前記回線情報に基づいて前記ホストコンピュータに対する通信回線の接続処理を行う回線確立処理部と、前記データ識別情報に基づく前記伝送要求メッセージの送信処理および前記ホストコンピュータから伝送されるデータの受信処理を制御する端末側着信データ伝送制御部と、を有する一以上の通信機能付携帯端末装置と、を具備する構成としたものである。
【００１３】
(9) また、(8)において、前記ホスト側着信データ伝送制御部は、複数の通信機能付携帯端末装置に対して同一のデータの送信処理を同時に行うものである。
【００１４】
(10)また、(8)または(9) において、所定のリトライ回数あるいは通信回線が確立されるまで、前記回線確立処理部による通信回線の接続処理が繰り返し行われるように制御するリトライ制御部を具備する構成としたものである。
【００１５】
(11)また、(8)〜(10)のいずれかにおいて、前記回線確立処理部は、無線または有線の電話回線を用いて通信回線の接続処理を行うものである。
【発明の効果】
【００１６】
(1) 以上詳しく説明したように、本発明の通信機能付携帯端末装置によれば、新たなデータの着信を示す新着メッセージを受信したとき、前記新着メッセージの内容に基づいて自動的に前記データの取得処理を制御する着信データ取得制御手段を具備する構成としたことにより、ユーザ宛に届いた新たなデータは当該ユーザが所持する通信機能付携帯端末装置に自動的に取り寄せられるので、ユーザはその内容を即時に確認して迅速な情報交換を図ることができるという効果が得られる。
【００１７】
(2) また、(1)において、前記新着メッセージには、前記データを特定するデータ識別情報が含まれており、前記着信データ取得制御手段を、受信した前記新着メッセージを解析して前記データ識別情報を抽出する新着メッセージ解析処理部と、前記データ識別情報に基づいて前記データの伝送処理を制御する着信データ伝送制御部と、によって構成したことにより、データの種類（例えば、電子メールやデータファイル）や内容（例えば、緊急性の度合いや返答の要不要）などに応じた適切な伝送処理を行うことができるという効果が得られる。
【００１８】
(3) また、(1)において、前記新着メッセージには、前記データを特定するデータ識別情報と、前記データにアクセスするための回線情報と、が含まれており、前記着信データ取得制御手段を、受信した前記新着メッセージを解析して前記データ識別情報および前記回線情報を抽出する新着メッセージ解析処理部と、前記回線情報に基づいて通信回線の接続処理を行う回線確立処理部と、前記データ識別情報に基づいて前記データの伝送処理を制御する着信データ伝送制御部と、によって構成したことにより、データの取得に必要な回線情報の保持や検索が不要となって伝送処理の効率化を図れるとともに、(2)と同様、データの種類や内容などに応じた適切な伝送処理を行うことができるという効果が得られる。
【００１９】
(4) また、(3)において、所定のリトライ回数あるいは通信回線が確立されるまで、前記回線確立処理部による通信回線の接続処理が繰り返し行われるように制御するリトライ制御部を具備する構成としたことにより、一度の接続処理で通信回線が確立されない場合でも自動的に再度の接続処理が行われるので、データの取得に関わる処理操作の簡便化を図ることができるという効果が得られる。
【００２０】
(5) また、(1)〜(4) のいずれかにおいて、前記データの取得処理を行うか否かを指定させるユーザ確認処理部を具備し、前記着信データ取得制御手段は、前記ユーザ確認処理部における指定に応じて前記データの取得処理を制御することにより、ユーザの事情に応じてデータの取得処理を行うか否かを任意に選択することができるという効果が得られる。
【００２１】
(6) また、(1)〜(5) のいずれかにおいて、前記新着メッセージには、前記データの大きさを示すデータサイズ情報が含まれており、前記着信データ取得制御手段は、装置本体内のデータ記憶領域の空き容量および前記データサイズ情報に基づいて前記データの取得処理を制御することにより、データ記憶領域の空き容量がデータの格納に不十分なとき、適切な処理（例えば、データ取得を中止したり、データの冒頭部分のみを取得するなど）を行うことができるという効果が得られる。
【００２２】
(7) また、(3)〜(6) のいずれかにおいて、前記回線確立処理部は、携帯電話を用いて通信回線の接続処理を行うことにより、回線ケーブルやモデムなどを用いて携帯端末装置を公衆回線網に接続するなどの煩雑な事前作業を行う必要がなくなるとともに、携帯電話サービスの領域内ならばどこにいてもデータの内容を即時に確認して迅速な情報交換を図ることができるという効果が得られる。
【００２３】
(8) また、本発明のデータ自動配信システムによれば、新たに着信したデータを特定するデータ識別情報および前記データにアクセスするための回線情報を含む新着メッセージの発信制御を行う新着メッセージ発信制御部と、伝送要求メッセージの受信処理および前記伝送要求メッセージによって特定されるデータの送信処理を制御するホスト側着信データ伝送制御部と、を有するホストコンピュータと、受信した前記新着メッセージを解析して前記データ識別情報および前記回線情報を抽出する新着メッセージ解析処理部と、前記回線情報に基づいて前記ホストコンピュータに対する通信回線の接続処理を行う回線確立処理部と、前記データ識別情報に基づく前記伝送要求メッセージの送信処理および前記ホストコンピュータから伝送されるデータの受信処理を制御する端末側着信データ伝送制御部と、を有する一以上の通信機能付携帯端末装置と、を具備する構成としたことにより、ホストコンピュータが管理するＢＢＳのユーザ宛に届いた新たなデータは、当該データの種類（例えば、電子メールやデータファイル）や内容（例えば、緊急性の度合いや返答の要不要）などに応じた適切な伝送処理で当該ユーザが所持する通信機能付携帯端末装置に自動的に取り寄せられるので、ユーザはその内容を即時に確認して迅速な情報交換を図ることができるという効果が得られる。
【００２４】
(9) また、(8)において、前記ホスト側着信データ伝送制御部は、複数の通信機能付携帯端末装置に対して同一のデータの送信処理を同時に行うことにより、同一内容の情報を複数のユーザに対してより効率的に提供することができるという効果が得られる。
【００２５】
(10)また、(8)または(9) において、所定のリトライ回数あるいは通信回線が確立されるまで、前記回線確立処理部による通信回線の接続処理が繰り返し行われるように制御するリトライ制御部を具備する構成としたことにより、一度の接続処理で通信回線が確立されない場合でも自動的に再度の接続処理が行われるので、データの取得に関わる通信機能付携帯端末装置側の処理操作の簡便化を図ることができるという効果が得られる。
【００２６】
(11)また、(8)〜(10)のいずれかにおいて、前記回線確立処理部は、無線または有線の電話回線を用いて通信回線の接続処理を行うことにより、無線の携帯電話サービスの領域内または回線ケーブルの接続が可能な領域内ならばどこにいてもデータの内容を即時に確認して迅速な情報交換を図ることができるという効果が得られる。
【図面の簡単な説明】
【００２７】
【図１】本発明のデータ自動配信システムの全体構成の概要を示す図である。
【図２】図１中の通信機能付携帯端末装置の内部構成の一例を示すブロック図である。
【図３】図１中のホストコンピュータの内部構成の一例を示すブロック図である。
【図４】本発明のデータ自動配信システムで送受信される新着メッセージの形式の一例を示す図である。
【図５】本発明のデータ自動配信システムで送受信される伝送要求メッセージの形式の一例を示す図である。
【図６】通信機能付携帯端末装置を所持するユーザを図３のホストコンピュータで管理するための宛先管理テーブルの形式の一例を示す図である。
【図７】伝送対象のデータファイルを図３のホストコンピュータで管理するためのディレクトリ構造の一例を示す図である。
【図８】図３のホストコンピュータで実行されるデータファイル新着メッセージの発信処理の概要を示すフローチャートである。
【図９】図３のホストコンピュータで実行される電子メール新着メッセージの発信処理の概要を示すフローチャートである。
【図１０】図３のホストコンピュータで実行されるホストメイン処理の概要を示すフローチャートである。
【図１１】図２の通信機能付携帯端末装置で実行されるデータの取得処理の概要を示すフローチャートである。
【図１２】図２の通信機能付携帯端末装置で実行されるデータファイル自動伝送制御によるファイル取り寄せ処理の一例を示すフローチャートである。
【図１３】図１２の処理による画面表示例を示す図である。
【図１４】図２の通信機能付携帯端末装置で実行される電子メール自動伝送制御による電子メール取り寄せ処理の一例を示すフローチャートである。
【図１５】本発明のデータ自動配信システムで送受信される新着メッセージの形式の別例を示す図である。
【図１６】図２の通信機能付携帯端末装置で実行されるデータファイル自動伝送制御によるファイル取り寄せ処理の別例を示すフローチャートである。
【図１７】図１６の処理による画面表示例を示す図である。
【図１８】図２の通信機能付携帯端末装置で実行される電子メール自動伝送制御による電子メール取り寄せ処理の別例を示すフローチャートである。
【図１９】図１８の処理による画面表示例を示す図である。
【図２０】図２の通信機能付携帯端末装置で実行されるログイン処理を利用した電子メール読み出し手順の一例を示すフローチャートである。
【発明を実施するための形態】
【００２８】
(1) 本発明の通信機能付携帯端末装置では、新たなデータの着信を示す新着メッセージを受信したとき、前記新着メッセージの内容に基づいて自動的に前記データの取得処理を制御する着信データ取得制御手段を具備する構成としたことにより、ユーザ宛に届いた新たなデータは当該ユーザが所持する通信機能付携帯端末装置に自動的に取り寄せられるので、ユーザはその内容を即時に確認して迅速な情報交換を図ることができる。
【００２９】
(2) また、(1)において、前記新着メッセージには、前記データを特定するデータ識別情報が含まれており、前記着信データ取得制御手段を、受信した前記新着メッセージを解析して前記データ識別情報を抽出する新着メッセージ解析処理部と、前記データ識別情報に基づいて前記データの伝送処理を制御する着信データ伝送制御部と、によって構成したことにより、データの種類（例えば、電子メールやデータファイル）や内容（例えば、緊急性の度合いや返答の要不要）などに応じた適切な伝送処理を行うことができる。
【００３０】
(3) また、(1)において、前記新着メッセージには、前記データを特定するデータ識別情報と、前記データにアクセスするための回線情報と、が含まれており、前記着信データ取得制御手段を、受信した前記新着メッセージを解析して前記データ識別情報および前記回線情報を抽出する新着メッセージ解析処理部と、前記回線情報に基づいて通信回線の接続処理を行う回線確立処理部と、前記データ識別情報に基づいて前記データの伝送処理を制御する着信データ伝送制御部と、によって構成したことにより、データの取得に必要な回線情報の保持や検索が不要となって伝送処理の効率化を図れるとともに、(2)と同様、データの種類や内容などに応じた適切な伝送処理を行うことができる。
【００３１】
(4) また、(3)において、所定のリトライ回数あるいは通信回線が確立されるまで、前記回線確立処理部による通信回線の接続処理が繰り返し行われるように制御するリトライ制御部を具備する構成としたことにより、一度の接続処理で通信回線が確立されない場合でも自動的に再度の接続処理が行われるので、データの取得に関わる処理操作の簡便化を図ることができる。
【００３２】
(5) また、(1)〜(4) のいずれかにおいて、前記データの取得処理を行うか否かを指定させるユーザ確認処理部を具備し、前記着信データ取得制御手段は、前記ユーザ確認処理部における指定に応じて前記データの取得処理を制御することにより、ユーザの事情に応じてデータの取得処理を行うか否かを任意に選択することができる。
【００３３】
(6) また、(1)〜(5) のいずれかにおいて、前記新着メッセージには、前記データの大きさを示すデータサイズ情報が含まれており、前記着信データ取得制御手段は、装置本体内のデータ記憶領域の空き容量および前記データサイズ情報に基づいて前記データの取得処理を制御することにより、データ記憶領域の空き容量がデータの格納に不十分なとき、適切な処理（例えば、データ取得を中止したり、データの冒頭部分のみを取得するなど）を行うことができる。
【００３４】
(7) また、(3)〜(6) のいずれかにおいて、前記回線確立処理部は、携帯電話を用いて通信回線の接続処理を行うことにより、回線ケーブルやモデムなどを用いて携帯端末装置を公衆回線網に接続するなどの煩雑な事前作業を行う必要がなくなるとともに、携帯電話サービスの領域内ならばどこにいてもデータの内容を即時に確認して迅速な情報交換を図ることができる。
【００３５】
(8) また、本発明のデータ自動配信システムでは、新たに着信したデータを特定するデータ識別情報および前記データにアクセスするための回線情報を含む新着メッセージの発信制御を行う新着メッセージ発信制御部と、伝送要求メッセージの受信処理および前記伝送要求メッセージによって特定されるデータの送信処理を制御するホスト側着信データ伝送制御部と、を有するホストコンピュータと、受信した前記新着メッセージを解析して前記データ識別情報および前記回線情報を抽出する新着メッセージ解析処理部と、前記回線情報に基づいて前記ホストコンピュータに対する通信回線の接続処理を行う回線確立処理部と、前記データ識別情報に基づく前記伝送要求メッセージの送信処理および前記ホストコンピュータから伝送されるデータの受信処理を制御する端末側着信データ伝送制御部と、を有する一以上の通信機能付携帯端末装置と、を具備する構成としたことにより、ホストコンピュータが管理するＢＢＳのユーザ宛に届いた新たなデータは、当該データの種類（例えば、電子メールやデータファイル）や内容（例えば、緊急性の度合いや返答の要不要）などに応じた適切な伝送処理で当該ユーザが所持する通信機能付携帯端末装置に自動的に取り寄せられるので、ユーザはその内容を即時に確認して迅速な情報交換を図ることができる。
【００３６】
(9) また、(8)において、前記ホスト側着信データ伝送制御部は、複数の通信機能付携帯端末装置に対して同一のデータの送信処理を同時に行うことにより、同一内容の情報を複数のユーザに対してより効率的に提供することができる。
【００３７】
(10)また、(8)または(9) において、所定のリトライ回数あるいは通信回線が確立されるまで、前記回線確立処理部による通信回線の接続処理が繰り返し行われるように制御するリトライ制御部を具備する構成としたことにより、一度の接続処理で通信回線が確立されない場合でも自動的に再度の接続処理が行われるので、データの取得に関わる通信機能付携帯端末装置側の処理操作の簡便化を図ることができる。
【００３８】
(11)また、(8)〜(10)のいずれかにおいて、前記回線確立処理部は、無線または有線の電話回線を用いて通信回線の接続処理を行うことにより、無線の携帯電話サービスの領域内または回線ケーブルの接続が可能な領域内ならばどこにいてもデータの内容を即時に確認して迅速な情報交換を図ることができる。
【００３９】
以下、本発明の通信機能付携帯端末装置およびデータ自動配信システムを図面を用いて詳細に説明する。
【００４０】
図１は、本発明のデータ自動配信システムの全体構成の概要を示す図である。同図中、１００は携帯端末装置（請求項中の“通信機能付携帯端末装置”に相当する）、１１０は携帯端末装置１００との通信を行うホストコンピュータ、１２０は公衆電話回線、１３０は携帯端末装置１００に無線でメッセージを送信するための基地局、１４０は携帯端末装置１００と無線で通信するための携帯電話基地局である。ホストコンピュータ１１０は、基地局１３０を介して携帯端末装置１００にメッセージ（請求項中の“新着メッセージ”）を送信する。このメッセージの中には、携帯端末装置１００が取り寄せるべきファイル（または電子メール、請求項中の“データ”に相当する）の識別子が格納されている。携帯端末装置１００は、メッセージを受信すると携帯電話機能を利用してホストコンピュータ１１０とデータ通信を行い、メッセージで指定されたファイル（または電子メール）をホストコンピュータ１１０から取り寄せる。
【００４１】
図２は、図１中の通信機能付携帯端末装置の内部構成の一例を示すブロック図である。同図中、１０１は制御部であり、周辺部の制御，データの要求や処理，通信などに関わる各種プログラムの実行制御を行う。１０２は表示部であり、例えば、ＬＣＤ（Liquid Crystal Display）表示器および当該ＬＣＤを駆動するためのドライバなどである。また、表示部１０２としては、ＬＣＤに代えてＣＲＴ（CathodeRay  Tube）などを用いることもできる。１０３は入力部であり、例えば、表示一体型のタブレットである。１０４は記憶部であり、例えば、ＲＡＭ，ＲＯＭ，フラッシュメモリ，ハードディスクなどを使用することができる。１０５はメッセージ受信部であり、例えばページャである。メッセージ受信部１０５は、図１中の基地局１３０を介してホストコンピュータから送信されたメッセージを受け取る。１０６はメッセージを受信するためのアンテナである。１０７は携帯電話送受信部であり、図１中の携帯電話基地局１４０を介してホストコンピュータとの間のデータ通信を行う。携帯電話送受信部１０６は、例えば、セルラ電話やＰＨＳ(Personal Handyphone System)などである。１０８は、携帯電話送受信部のアンテナである。１０９は、時間を管理するためのタイマである。
【００４２】
なお、本構成では、メッセージ受信部１０５と携帯電話送受信部１０７とを別個の構成としたが、携帯電話送受信部にメッセージ受信部と同等の機能を持たせることにより、ひとつにまとめた構成とすることも可能である。
【００４３】
図３は、図１中のホストコンピュータの内部構成の一例を示すブロック図である。同図中、１１１は制御部であり、周辺部の制御，データの要求や処理，通信などに関わる各種プログラムの実行制御を行う。１１２は表示部であり、例えば、ＬＣＤ（Liquid Crystal Display）表示器および当該ＬＣＤを駆動するためのドライバなどである。また、表示部１１２としては、ＬＣＤに代えてＣＲＴ（CathodeRay  Tube）などを用いることもできる。１１３は入力部であり、例えば、キーボードやマウスなどである。１１４は主記憶部であり、例えば、ＲＡＭやＲＯＭなどである。１１５は通信制御部であり、携帯端末装置１００へのメッセージ送信や、携帯端末装置１００とのデータ通信の制御などを行う。１１６は、ハードディスクであり、電子メールやファイルなどのデータを記憶保持する。
【００４４】
以上、図１〜３を用いて説明した構成のシステムにおいて、携帯端末装置１００がホストコンピュータ１１０からファイル（または電子メール）を自動的に取り寄せる処理（請求項中の“データの取得処理”に相当する）について詳細に説明する。
【００４５】
図４は、本発明のデータ自動配信システムで送受信される新着メッセージの形式の一例を示す図である。同図中、図４（ａ）はホストコンピュータ１１０から携帯端末装置１００に送信されるメッセージ２００の形式であり、コマンド２０１として「ファイルの取り寄せ」指示コマンドまたは「電子メールの取り寄せ」指示コマンドのいずれかが設定される。そして、コマンドパラメータ２０２にはコマンド２０１に付随する固有のパラメータが設定される。図４（ｂ）は「ファイル取り寄せ」指示コマンドに対するパラメータであり、２１１は取り寄せるべきファイルを特定する識別子（ファイルＩＤ）、２１２は当該ファイルが格納されているホストコンピュータ１１０に接続するための電話番号である。図４（ｃ）は「電子メール取り寄せ」指示コマンドに対するパラメータであり、２２１は取り寄せる電子メールを特定する識別子（電子メールＩＤ）、２２２は当該電子メールが格納されているホストコンピュータ１１０に接続するための電話番号である。
【００４６】
図５は、本発明のデータ自動配信システムで送受信される伝送要求メッセージの形式の一例を示す図である。同図中、図５（ａ）は携帯端末装置１００からホストコンピュータ１１０に送信されるメッセージ２５０の形式であり、コマンド２５１として「ファイルの取り寄せ」要求コマンドまたは「電子メールの取り寄せ」要求コマンドのいずれかが設定される。そして、コマンドパラメータ２５２にはコマンド２５１に付随する固有のパラメータが設定される。図５（ｂ）は「ファイル取り寄せ」要求コマンドに対するパラメータであり、２６１は当該ファイルを特定する識別子（ファイルＩＤ）である。図５（ｃ）は「電子メール取り寄せ」要求コマンドに対するパラメータであり、２７１は当該電子メールを特定する識別子（電子メールＩＤ）である。
【００４７】
図６は、通信機能付携帯端末装置を所持するユーザを図３のホストコンピュータで管理するための宛先管理テーブルの形式の一例を示す図である。同図中、宛先管理テーブル３００は、ユーザＩＤ３０１，宛先番号３０２，ディレクトリ名３０３から構成される。そして、ユーザＩＤ３０１には携帯端末装置１００を所持する各々のユーザの識別子が、宛先番号３０２にはユーザＩＤ３０１で特定されるユーザの携帯端末装置にメッセージ２００を送信するための電話番号が、ディレクトリ名３０３にはユーザＩＤ３０１で特定されるユーザの携帯端末装置に伝送するファイルが保存されるディレクトリ名が、それぞれ格納される。なお、本実施例では、図３中のハードディスク１１６内のファイルを効率的に管理するために、階層構造のファイル管理方式が採用されているものとする。
【００４８】
図７は、伝送対象のデータファイルを図３のホストコンピュータで管理するためのディレクトリ構造の一例を示す図である。同図中、ホストコンピュータ１１０におけるハードディスク１０６には、携帯端末装置１００が取り寄せるべきファイルを格納するための転送ファイル格納ディレクトリ４００が設けられるとともに、転送ファイル格納ディレクトリ４００の下には伝送対象のファイルを個別のユーザごとに管理するためのディレクトリ４０１ａ，４０１ｂ，……，４０１ｎが設けられている。
【００４９】
図８は、図３のホストコンピュータで実行されるデータファイル新着メッセージの発信処理の概要を示すフローチャートであり、この発信処理６５０は、定期的、あるいは、不定期的に起動される。なお、以下の例では、宛先管理テーブル３００で管理されているユーザ数＝ｎであるものとする。
【００５０】
図８のデータファイル新着メッセージ発信処理６５０において、最初に、ユーザ管理テーブル３００のレコードを特定するための変数ｉを初期化して、ｉ＝１とする（ステップ６５１）。そして、ｉはｎ以下であるか否かを判定し（ステップ６５２）、ｉの値がｎを超えていた場合にはデータファイル新着メッセージ発信処理６５０を終了する。一方、ｉの値がｎ以下であった場合には、図６中の宛て先管理テーブル３００のｉ番目のレコードに格納されているディレクトリ名３０３で指定されるディレクトリ４０１ｉの下に新しいファイルが登録されているか否かを調べて（ステップ６５３）、新しいファイルが登録されていなかった場合には、そのまま何も行わずにステップ６５７に分岐する。一方、新しいファイルが登録されていた場合には、宛先管理テーブル３００のｉ番目のレコードに格納されている宛先番号３０２へ、図３中の通信制御部１１５を介して電話をかける（ステップ６５４）。そして、コマンド２０１として「ファイル取り寄せ」指示コマンドを、コマンドパラメータ２０２としてステップ６５３で見つかった新しいファイルを特定するファイルＩＤ２１１およびホストコンピュータ１１０にアクセスするための電話番号２１２を、それぞれ設定して得られた新着メッセージ２００を携帯端末装置１００に送信して（ステップ６５５）、電話回線を切断する（ステップ６５６）。ステップ６５７では、次のユーザについて新しいファイルの有無をチェックするため、ｉの値を１増加させる。以上の処理により、「ファイル取り寄せ」指示コマンドを含む新着メッセージ２００を携帯端末装置１００に送信することができる。
【００５１】
なお、本発明のデータ自動配信システムでは、ページャが持つ同報機能（単一の電話番号で複数のページャを呼び出すサービス）を利用して、同時に複数のユーザに対して同一のファイルを取り寄せるべき旨の指示を行うことも可能である。この場合には、図６中の宛先管理テーブル３００におけるユーザＩＤ３０１にあらかじめグループＩＤを格納しておくとともに、ディレクトリ名３０３には、ユーザＩＤ３０１で特定されるグループのメンバに送信するためのファイルが保存されているディレクトリ名を格納しておく。そして、ホストコンピュータ１１０のハードディスク１０６における転送ファイル格納ディレクトリ４００の下には、伝送対象のファイルを上記グループごとに管理するためのディレクトリ４１１ａ，４１１ｂ，……，４１１ｎを設けておく。以上の構成のもとでデータファイル新着メッセージ発信処理６５０を行うことにより、同時に複数のユーザに対して同一のファイルを取り寄せるべき旨の指示を行うことができる。
【００５２】
図９は、図３のホストコンピュータで実行される電子メール新着メッセージの発信処理の概要を示すフローチャートであり、この発信処理６６０は、ホストコンピュータ１１０に電子メールが着信したときに起動される。
【００５３】
図９の電子メール新着メッセージ発信処理６６０において、宛先管理テーブル３００の電子メールが届いたユーザのレコードに格納されている宛先番号３０２へ、図３中の通信制御部１１５を介して電話をかける（ステップ６６１）。そして、コマンド２０１として「電子メール取り寄せ」指示コマンドを、コマンドパラメータ２０２として新たに到着した電子メールを特定する電子メールＩＤ２２１およびホストコンピュータ１１０にアクセスするための電話番号２２２を、それぞれ設定して得られた新着メッセージ２００を携帯端末装置１００に送信して（ステップ６６２）、電話回線を切断する（ステップ６６３）。
【００５４】
以上の処理をホストコンピュータ１１０で行うことにより、携帯端末装置１００に対してファイルや電子メールの取り寄せを指示することができる。
【００５５】
前述した新着メッセージ発信処理でホストコンピュータ１１０から送信されたメッセージ２００によって指定されたファイルや電子メールを、携帯端末装置１００で自動的に取り寄せる際には、携帯端末装置１００において伝送要求メッセージ発信処理５００を実行するとともに、ホストコンピュータ１１０においてホストメイン処理６００（請求項中の“データの送信処理”に相当する）を実行する。以下、これらの処理について説明する。
【００５６】
図１０は、図３のホストコンピュータで実行されるホストメイン処理の概要を示すフローチャートであり、携帯端末装置１００との間の回線が接続されたときに起動される。なお、本実施例では、携帯端末装置１００とホストコンピュータ１１０との間のファイル転送を実現するために、ＸＭＯＤＥＭプロトコルを採用するものとするが、ＸＭＯＤＥＭ以外のファイル転送プロトコルを採用することも可能である（ＸＭＯＤＥＭプロトコルおよびその他のプロトコルの詳細については、「トラ技コンピュータ第５巻第７号、第84〜92頁；1993年７月」に記載されている。）。
【００５７】
図１０において、ホストメイン処理６００が起動されると、携帯端末装置１００から受信した伝送要求メッセージ２５０を解析して、当該メッセージ２５０中のコマンド２５１の設定内容に応じて処理を分岐させる（ステップ６０１）。すなわち、コマンド２５１の設定内容が「ファイル取り寄せ」要求コマンドであった場合にはファイル送信処理６１０を実行し、コマンド２５１の設定内容が「電子メール取り寄せ」要求コマンドであった場合には電子メール送信処理６２０を実行する。そして、ファイル送信処理６１０では、ステップ６０１で受信した伝送要求メッセージ２５０中のファイルＩＤ２６１によって指定されるファイルをＸＭＯＤＥＭ手順にしたがって携帯端末装置１００に送信する。また、電子メール送信処理６２０では、ステップ６０１で受信した伝送要求メッセージ２５０中の電子メールＩＤ２７１によって指定される電子メールをＸＭＯＤＥＭ手順にしたがって携帯端末装置１００に送信する。
【００５８】
図１１は、図２の通信機能付携帯端末装置で実行されるデータの取得処理の概要を示すフローチャートであり、この着信データ取得処理５００は、図２中のメッセージ受信部１０５がホストコンピュータ１１０からの新着メッセージを受信したときに起動される。図１１において、着信データ取得処理５００が起動されると、ホストコンピュータ１１０から受信した新着メッセージ２００を解析して、当該メッセージ２００中のコマンド２０１の設定内容に応じて処理を分岐させる（ステップ５０１）。すなわち、コマンド２０１の設定内容が「ファイル取り寄せ」指示コマンドであった場合にはファイル取り寄せ処理５１０を実行し、コマンド２０１の設定内容が「電子メール取り寄せ」指示コマンドであった場合には電子メール取り寄せ処理５２０を実行する。
【００５９】
図１２は、図２の通信機能付携帯端末装置で実行されるデータファイル自動伝送制御によるファイル取り寄せ処理の一例を示すフローチャートである。同図において、最初にファイルを取り寄せるか否かの確認をユーザに行わせる（ステップ５１５）。図１３は、図１２の処理におけるユーザ確認の際の画面表示例を示す図であり、８００はユーザにファイルの取り寄せの確認をさせるためのウィンドウ、８０１はファイル取り寄せ確認メッセージ、８０２は取り寄せ指示ボタン、８０３は取り寄せ中止ボタンである。
【００６０】
ステップ５１５でユーザが取り寄せ中止を指示した場合（取り寄せ中止ボタン８０３が押下された場合）には処理を中断する。また、ユーザが取り寄せを指示した場合（取り寄せ指示ボタン８０２が押下された場合）には、新着メッセージ２００に含まれる電話番号２１２を読み出し、携帯電話送受信部１０７を用いてこの電話番号２１２にダイアリングすることによって、ホストコンピュータ１１０との間の回線接続を行う（ステップ５１１）。そして、コマンド２５１として「ファイル取り寄せ」要求コマンドを、コマンドパラメータ２５２として送信された新着メッセージ２００で指定された新しいファイルを特定するファイルＩＤ２６１を、それぞれ設定して得られた伝送要求メッセージ２５０をステップ５１１で接続された回線を介してホストコンピュータ１１０に送信して（ステップ５１２）から、ＸＭＯＤＥＭプロトコルの手順にしたがって、当該ファイルをホストコンピュータ１１０から受信する（ステップ５１３）。ファイルの受信が終了した後、ステップ５１１で接続された回線の切断処理を行う（ステップ５１４）。
【００６１】
なお、本実施例では、ファイル取り寄せに先立ってユーザによる確認を行ったが、ユーザの確認なしに、ファイルを取り寄せることも可能である。この場合、ステップ５１５を削除して、ステップ５１１からファイル取り寄せ処理５１０を実行すればよい。
【００６２】
また、上記実施例における処理の際に、ステップ５１１の回線接続処理５１１で回線接続ができなかった場合に自動的にリダイアルするようにすることも可能である。回線接続ができない場合として、（１）話中の場合と、（２）不在の場合とが考えられる。（１）話中の場合には、一旦電話回線を切断した後、タイマ１０９で時間を監視し、一定の時間経過後（例えば１分後）、ステップ５１１から処理を再開するようにすればよい。また、（２）不在の場合には、タイマ１０９でステップ５１１を開始してからの経過時間を監視して、一定時間経過した場合（例えば１分経過した場合）、電話の呼び出しを中止した後、さらにタイマ１０９で時間を監視し、一定の時間経過後（例えば１分後）、ステップ５１１から処理を再開するようにすればよい。このような機能を携帯端末装置１００に持たせることで、回線が接続できない場合に自動的にリダイアルされるようになる。
【００６３】
図１４は、図２の通信機能付携帯端末装置で実行される電子メール自動伝送制御による電子メール取り寄せ処理の一例を示すフローチャートである。同図中、最初に新着メッセージ２００に含まれる電話番号２１２を読み出し、携帯電話送受信部１０７を用いてこの電話番号２１２にダイアリングすることによって、ホストコンピュータ１１０との間の回線接続を行う（ステップ５２１）。そして、コマンド２５１として「電子メール取り寄せ」要求コマンドを、コマンドパラメータ２５２として送信された新着メッセージ２００で指定された新たに到着した電子メールを特定する電子メールＩＤ２７１を、それぞれ設定して得られた伝送要求メッセージ２５０をステップ５２１で接続された回線を介してホストコンピュータ１１０に送信して（ステップ５２２）から、ＸＭＯＤＥＭプロトコルの手順にしたがって、当該電子メールをホストコンピュータ１１０から受信する（ステップ５２３）。ファイルの受信が終了した後、ステップ５２１で接続された回線の切断処理を行う（ステップ５２４）。なお、電子メール取り寄せ処理５２０においても、ファイル取り寄せ処理５１０と同様、回線が接続できない場合のリダイアル処理を実行するようにすることが可能である。
【００６４】
以上のように、ホストコンピュータ１１０から送信される新着メッセージの内容により、携帯端末装置１００のユーザは、ホストコンピュータ１１０に接続するための電話番号などを知らなくても、着信したファイルや電子メールを自動的に取り寄せることができる。
【００６５】
別の実施例として、新着メッセージ２００で指定されたファイル（または電子メール）の取り寄せ処理を開始する前に、当該ファイル（または電子メール）を携帯端末装置１００に格納する余裕があるか否かを調べて、余裕がない場合にはファイルの取り寄せを中止するようにすることもできる。以下、このような実施例について説明する。
【００６６】
図１５は、本発明のデータ自動配信システムで送受信される新着メッセージの形式の別例を示す図であり、図４に示した新着メッセージ２００のコマンドパラメータ２０２の構成を本実施例に合わせて変更したものである。すなわち、図１５（ｂ）において、コマンド２０１として「ファイル取り寄せ」指示コマンドが設定される場合には、コマンドパラメータ２０２として、図４（ｂ）に示したファイルＩＤ２１１および電話番号２１２に加えて、ファイルサイズ２１３（ファイルＩＤ２１１で特定されるファイルのサイズ）を追加設定する。また、図１５（ｃ）において、コマンド２０１として「電子メール取り寄せ」指示コマンドが設定される場合には、コマンドパラメータ２０２として、図４（ｃ）に示した電子メールＩＤ２２１および電話番号２２２に加えて、電子メールサイズ２２３（電子メールＩＤ２２１で特定される電子メールのサイズ）を追加設定する。
【００６７】
図１６は、図２の通信機能付携帯端末装置で実行されるデータファイル自動伝送制御によるファイル取り寄せ処理の別例を示すフローチャートであり、ステップ５１１〜５１５の処理は図１２と同一であるため、その説明を省略する。図１６において、最初にファイルを取り寄せるか否かの確認をユーザに行わせる（ステップ５１５）。そして、ステップ５１５でユーザが取り寄せ中止を指示した場合には処理を中断する。また、ユーザが取り寄せを指示した場合には、図２に示した記憶部１０４中でファイル格納のために確保されている容量のうちの未使用記憶エリアの容量と、新着メッセージ２００に設定されたファイルサイズ２１３との大小関係を比較する（ステップ５１６）。そして、未使用記憶エリアの容量がファイルサイズ２１３より大きい場合には、ステップ５１１〜５１５の処理を実行して、ファイル取り寄せ処理５１０ａを完了させる。また、未使用記憶エリアの容量がファイルサイズ２１３より小さい場合には、図１７（ａ）に示すように、ファイルの取り寄せを中止する旨のメッセージ８１１を画面表示してユーザに通知し、ファイル取り寄せ処理５１０ａを中止する（ステップ５１７）。
【００６８】
上記実施例では、ファイルの取り寄せを中止したが、ユーザの選択に応じて、未使用記憶エリアの容量の許す限りファイルを受信するようにしてもよい。この場合、図１６中のステップ５１７におけるユーザへの通知の際に、図１７（ｂ）に示すようなメッセージ８１３を画面表示する。そして、ユーザが中止ボタン８１４を押下すると無条件にファイル取り寄せ処理５１０ａが中止され、ユーザが継続ボタン８１５を押下すると未使用記憶エリアがなくなるまでステップ５１３のファイル受信を行った後にファイル取り寄せ処理５１０ａが中断されるようにする。なお、受信したファイルのうち、未使用記憶エリアの容量を超えてしまって格納できなかった部分については破棄される。
【００６９】
図１８は、図２の通信機能付携帯端末装置で実行される電子メール自動伝送制御による電子メール取り寄せ処理の別例を示すフローチャートであり、ステップ５２１〜５２４の処理は図１２と同一であるため、その説明を省略する。図１８において、図２に示した記憶部１０４中で電子メール格納のために確保されている容量のうちの未使用記憶エリアの容量と、新着メッセージ２００に設定された電子メールサイズ２２３との大小関係を比較する（ステップ５２５）。そして、未使用記憶エリアの容量が電子メールサイズ２２３より大きい場合には、ステップ５２１〜５２４の処理を実行して、電子メール取り寄せ処理５２０ａを完了させる。また、未使用記憶エリアの容量が電子メールサイズ２２３より小さい場合には、図１９に示すように、電子メールの取り寄せを中止する旨のメッセージ８１２を画面表示してユーザに通知し、電子メール取り寄せ処理５２０ａを中止する（ステップ５２６）。なお、電子メールの取り寄せにおいても、ファイルの取り寄せと同様に、未使用記憶エリアがなくなるまで電子メールを受信し、未使用記憶エリアの容量を超えてしまって格納できなかった部分を破棄するようにしてもよい。
【００７０】
上述した実施例では、「電子メール取り寄せ」要求コマンドをホストコンピュータ１１０に送信することで電子メールの取り寄せを行ったが、携帯情報端末１００を端末（ターミナル）として用いることにより、電子メールの読み出しを行うことも可能である。
【００７１】
図２０は、図２の通信機能付携帯端末装置で実行されるログイン処理を利用した電子メール読み出し手順の一例を示すフローチャートである。この手順は、インターネットにおける電子メールを読み出す場合の電子メール読み出し手順５５０であり、ホストコンピュータ１１０との間のデータの送受信は、図２中の携帯電話送受信部１０７を介して１文字ずつ行われる。
【００７２】
図２０において、最初に、ホストコンピュータ１１０から受信した新着メッセージ２００に含まれる電話番号２１２を読み出し、携帯電話送受信部１０７を用いてこの電話番号２２２にダイアリングすることによって、ホストコンピュータ１１０との間の回線接続を行う（ステップ５５１）。次に、ホストコンピュータ１１０にユーザＩＤとパスワードを送信して、ホストコンピュータ１１０へのログイン処理を行う（ステップ５５２）。そして、メールコマンド（例えば、文字列“mail”）を送信してホストコンピュータ１１０をメールモードにして（ステップ５５３）から、メール表示コマンド（例えば、文字列“ｐ”）を送信し、新たに到着したメールを読み出す（ステップ５５４）。このとき、メールの内容は、１文字ずつホストコンピュータ１１０から受信する。メールの読み出しが終了すると、終了コマンド（例えば、文字列“ｑ”）を送信し、メールモードを終了させる（ステップ５５５）。最後に、ステップ５５１で確立した回線を切断する（ステップ５５６）。なお、本実施例におけるホストコンピュータ１１０では、ホストメイン処理６００に代えて、インターネット用の電子メールプログラムを動作させておくものとする（インターネット用の電子メールプログラムは、市販されている）。
【００７３】
以上のように、携帯端末装置１００をターミナルとして動作させる場合、ホストコンピュータ１１０から受信して表示部１０２で表示させる電子メールの内容を携帯端末装置１００の記憶部１０４に保存するか否かを任意に設定することができる。また、電子メール読み出し手順としては、インターネットの代わりに、個別のパソコン通信で採用されている電子メールサービスなどを利用することもできる。この場合には、当該パソコン通信で個別に定義されている手順にしたがって文字列の送信を行えばよい。
【００７４】
これまで述べてきたすべての実施例では、携帯電話の代わりに有線の電話を使用するようにすることも可能である。この場合、携帯端末装置１００における携帯電話送受信部１０７を有線電話送受信部に置き換えればよい。有線電話送受信部の具体例としては、例えば、データ／ＦＡＸモデムなどがあげられる。また、図２に示したメッセージ受信部１０５が何らかのメッセージを受信するまで電源を落して、メッセージを受信して初めて動作を開始するようにすれば、携帯端末装置による消費電力を抑制することができる。
【符号の説明】
【００７５】
１００  通信機能付携帯端末装置
１１０  ホストコンピュータ
１０１，１１１  制御部
１０２，１１２  表示部
１０３，１１３  入力部
１０４  記憶部
１０５  メッセージ受信部
１０７  携帯電話送受信部
１０６，１０８  アンテナ
１０９  タイマ
１１４  主記憶部
１１５  通信制御部
１１６  ハードディスク
【図１】
2011060295.tif 000003
【図２】
2011060295.tif 000004
【図３】
2011060295.tif 000005
【図４】
2011060295.tif 000006
【図５】
2011060295.tif 000007
【図６】
2011060295.tif 000008
【図７】
2011060295.tif 000009
【図８】
2011060295.tif 000010
【図９】
2011060295.tif 000011
【図１０】
2011060295.tif 000012
【図１１】
2011060295.tif 000013
【図１２】
2011060295.tif 000014
【図１３】
2011060295.tif 000015
【図１４】
2011060295.tif 000016
【図１５】
2011060295.tif 000017
【図１６】
2011060295.tif 000018
【図１７】
2011060295.tif 000019
【図１８】
2011060295.tif 000020
【図１９】
2011060295.tif 000021
【図２０】
2011060295.tif 000022
【手続補正書】
【提出日】平成22年9月17日(2010.9.17)
【手続補正２】
【補正対象書類名】特許請求の範囲
【補正対象項目名】全文
【補正方法】変更
【補正の内容】
【特許請求の範囲】
【請求項１】
公衆回線を介して携帯端末との間で通信を行うホストコンピュータであって、
前記公衆回線を接続可能な通信手段と、
データを記憶する記憶手段と、
前記携帯端末宛のデータを受信した場合に、受信したデータを前記記憶手段に記憶し、前記データの着信を示す新着メッセージを前記通信手段により前記携帯端末に送信するように制御する制御手段と、を備え、
前記新着メッセージは、前記ホストコンピュータに接続するための接続情報と前記着信したデータを識別するデータ識別情報とを含み、
前記制御手段は、前記携帯端末から、前記データ識別情報を含む伝送要求メッセージを受信すると、前記データ識別情報に対応するデータを前記記憶手段から読み出し、前記携帯端末に前記データを送信するように前記通信手段を制御することを特徴とするホストコンピュータ。
【請求項２】
公衆回線を介して複数の携帯端末との間で通信を行うホストコンピュータであって、
前記複数の携帯端末を識別する端末識別情報を１つのグループにして記憶する第１の記憶手段と、
前記公衆回線を接続可能な通信手段と、
前記通信手段により受信したデータを記憶する第２の記憶手段と、
前記通信手段によりデータを受信した場合に、受信したデータを前記第２の記憶手段に記憶し、前記第２のデータの着信を示す新着メッセージを、前記第１の記憶手段に前記端末識別情報が記憶された前記複数の携帯端末に前記通信手段により送信するように制御する制御手段と、を備え、
前記新着メッセージは、前記ホストコンピュータに接続するための接続情報と前記着信したデータを識別するデータ識別情報とを含み、
前記制御手段は、前記複数の携帯端末の１つから、前記データ識別情報を含む伝送要求メッセージを受信すると、前記データ識別情報に対応するデータを前記記憶手段から読み出し、前記伝送要求メッセージを送信した携帯端末に前記データを送信するように前記通信手段を制御することを特徴とするホストコンピュータ。